(57)【要約】本発明は、水相と油相とを含む水中油型エマルションに関し、水相は水と緩和剤とを含有し、油相は油と少なくとも１種の界面活性剤とを含有する。本発明のエマルションは、人体の誘電特性を模倣する誘電特性を有する。本発明は更に、本発明のエマルションと、上記のエマルションが充填された模倣人体部分と、模倣人体部分が電磁界に曝露されているときに局所比吸収率を測定可能な少なくとも１つのシステムとを含むデバイスに関する。本発明は、電磁界を放射する装置の比吸収率試験を行うための方法にも関し、この方法は、本発明のエマルションの使用を含む。本発明は、本発明のエマルションを製造するためのプロセスにも関する。【選択図】なし【特許請求の範囲】
【請求項１】
水相と油相とを含み、
−前記水相は水と緩和剤とを含有し、
−前記油相は油と少なくとも１種の界面活性剤とを含有する、
水中油型エマルション。
【請求項２】
２５℃で０．００５Ｐａ．ｓ〜５０Ｐａ．ｓ、好ましくは、２５℃で０．０１Ｐａ．ｓ〜３０Ｐａ．ｓの範囲の粘度を有する、請求項１に記載の水中油型エマルション。
【請求項３】
３０ＭＨｚ〜６ＧＨｚの範囲の周波数に対して、６８．０９〜３１．２の範囲の比誘電率と、０．６８Ｓ／ｍ〜６．６０Ｓ／ｍの範囲の導電率とを有する、請求項１又は２に記載の水中油型エマルション。
【請求項４】
前記緩和剤がポリオール、好ましくはグリセリンである、請求項１〜３のいずれか１項に記載の水中油型エマルション。
【請求項５】
前記緩和剤の量は、前記水相の総重量に対する重量が１〜５０％の範囲、好ましくは１％〜４０％の範囲である、請求項１〜４のいずれか１項に記載の水中油型エマルション。
【請求項６】
前記水相が、無水又は非無水の塩、好ましくは、ＮａＣｌ、ＣａＣｌ２又は安息香酸ナトリウムから選択された塩を更に含む、請求項１〜５のいずれか１項に記載の水中油型エマルション。
【請求項７】
前記油が、鉱油、パラフィン油、石油などの合成油、親油性エステル、トリグリセリド、ヒマシ油、コーン油、オリーブ油、ダイズ油、パルミチン酸イソプロピルなどのパーム油などの天然油又はそれらの混合物、好ましくはパルミチン酸イソプロピルを含む群から選択される、請求項１〜６のいずれか１項に記載の水中油型エマルション。
【請求項８】
界面活性剤は、エチレンオキシド及びプロピレンオキシドのトリブロック共重合体などのポロキサマー、ポリエチレンオキシドとポリエチレンオキシド鎖及び少なくとも１種の芳香族基を有する、例えばＴｒｉｔｏｎ（商標）−Ｘ１００などの界面活性剤、例えばＳｐａｎ（商標）８０などのソルビタンエステル及びエトキシル化したソルビタンエステル、Ｔｗｅｅｎ（登録商標）８０などのポリソルベート、Ｂｒｉｊ（登録商標）５８などのポリオキシエチレンアルキルエーテル或いはこれらの界面活性剤の混合物を含む群から選択された非イオン性界面活性剤である、請求項１〜７のいずれか１項に記載の水中油型エマルション。
【請求項９】
アルギン酸、キサンタン、アガロース、グアーガム、寒天、ゼラチン、ヒドロキシエチルセルロース、シクロデキストリン又はそれらの混合物を含む群から選択された増粘剤を更に含む、請求項１〜８のいずれか１項に記載の水中油型エマルション。
【請求項１０】
−水と、
−前記水相の総重量に対する重量が１５％〜３５％のグリセリンと、
−前記エマルションの総重量に対する重量が０．６％〜１．２％のＣａＣｌ２と、
−必要に応じて前記エマルションの総重量のうちの重量が０．３％〜２％のキサンタンと、
−前記エマルションの総重量に対する重量が１５％〜２５％のパルミチン酸イソプロピルと、
−前記エマルションの総重量に対する重量が６〜８％である、好ましくはＴｒｉｔｏｎ Ｘ−１００／Ｓｐａｎ８０の割合が７９／２１である、Ｔｒｉｔｏｎ Ｘ−１００とＳｐａｎ８０との混合物と、
を含む、請求項１〜９のいずれか１項に記載の水中油型エマルション。
【請求項１１】
−水と、
−前記水相の総重量に対する重量が２％〜７％のグリセリンと、
−前記エマルションの総重量に対する重量が０．１％〜１％のＣａＣｌ２と、
−必要に応じて前記エマルションの総重量のうちの重量が０．３％〜２％のキサンタンと、
−前記エマルションの総重量に対する重量が１０％〜１５％のパルミチン酸イソプロピルと、
−前記エマルションの総重量に対する重量が６〜８％である、好ましくはＴｒｉｔｏｎ Ｘ−１００／Ｓｐａｎ８０の割合が７９／２１である、Ｔｒｉｔｏｎ Ｘ−１００とＳｐａｎ８０との混合物と、
を含む、請求項１〜９のいずれか１項に記載の水中油型エマルション。
【請求項１２】
−請求項１〜１１のいずれか１項に記載のエマルションと、
−前記エマルションが充填された模倣人体部分と、
−前記模倣人体部分が電磁界に曝露されているときに局所比吸収率を測定可能な少なくとも１つのシステムと、
を含むデバイス。
【請求項１３】
前記模倣人体部分が、人間の頭部の一部又は全部の形状をした、或いは人間の胴体の一部又は全部の形状をした容器である、請求項１２に記載のデバイス。
【請求項１４】
電磁界を放射する装置の比吸収率試験を行うための方法であって、
−前記装置を、請求項１２又は請求項１３に記載のデバイスに接して又はその近くに、好ましくはごく近傍に配置することと、
−試験対象の前記装置による伝送中に、前記デバイス内部の電界強度を測定することと、
を含む、方法。
【請求項１５】
−適用可能な場合、前記増粘剤を水中で撹拌しながら溶解し、組成物（Ｉ）を生成することと、
−適用可能な場合、前記塩を水中で撹拌しながら溶解し、撹拌しながら前記緩和剤を添加し、組成物（ＩＩ）を生成することと、
−前記組成物（Ｉ）と前記組成物（ＩＩ）とを混合して前記水相を形成することと、
−前記油中で撹拌しながら前記界面活性剤を溶解し、前記油相を形成することと、
−撹拌しながら前記油相を前記水相に分散させることと、
を含み、２０℃〜２５℃の範囲の温度で行われる、請求項１〜１１のいずれか１項に記載のエマルションを製造するプロセス。
【発明の詳細な説明】
【技術分野】
【０００１】
本発明は、人体の誘電特性を模倣する広帯域組成物に関する。詳細には、本発明は、水中油型エマルションを含む組成物に関し、この水中油型エマルションの水相はグリセリンを含み、油相は、少なくとも１種の界面活性剤、好ましくは少なくとも２種の界面活性剤を含む。本発明の組成物は、例えば比吸収率（ＳＡＲ）測定、全放射電力（ＴＲＰ） 測定又は全放射感度（ｔｏｔａｌ  ｒａｄｉａｔｅｄ  ｓｅｎｓｉｔｉｖｉｔｙ）（ＴＲＳ）測定に用いられるマネキン又はファントムを充填するために用いられうる。また、本発明は、マネキン又はファントム内でのＳＡＲ測定、ファントム近傍でのＴＲＰ及び／又はＴＲＳ測定のためのシステムに関し、このマネキン及びファントムには、本発明の広帯域組成物が充填されている。更に本発明は、本発明のデバイスの使用を含むＳＡＲ、ＴＲＰ及び／又はＴＲＳ測定のための方法に関する。
【背景技術】
【０００２】
携帯式又は身体装着式の無線デバイスで通信を行う間、ユーザの生体組織は電磁界エネルギーに曝露されている。携帯電話又は他の市販のデバイスで用いられる周波数では、組織により吸収される高周波電力は、通常、比吸収率（ＳＡＲ）で定量化される。
【０００３】
ＳＡＲは、所定の密度（ρ）の体積要素（ｄＶ）に含まれる微小質量（ｄｍ）が電磁界に曝露されているとき、この質量によって吸収された微小エネルギー（ｄＷ）の割合である。
【数１】
2015510441.tif 000002
【０００４】
ＳＡＲは、無線デバイスによって作り出される電界分布を、組織等価物質を含む模倣人体部分の内部で測定することにより決定される。体全体で又は局所で１ｇ又は１０ｇの組織について平均化されるＳＡＲの限度（ピーク空間平均）は、曝露に関する国際的なガイドライン／規格（ＩＣＮＩＲＰガイドラインＩＥＥＥ規格Ｃ９５．１）で確立されている。公衆衛生及び安全の保護を確実なものとするため、各国の規制当局は、このような限度を広く採用し、ピーク空間平均ＳＡＲを評価するための測定規格の利用を認めてきた。適切なＳＡＲ測定規格（例えばＩＥＣ６２２０９−１又はＩＥＣ６２２０９−２）にしたがって無線機器を測定することによって、無線周波数電磁界への人体の曝露に関する規制要件に無線デバイスが適合しているか評価することができる。
【０００５】
測定規格には、プラスチック製の外殻から成る、均一の組織模倣液剤が充填された頭部及び胴体のマネキン又はファントムを使用することが明記されている。試験の構成、ファントムの形状及び液体の誘電特性は、大多数の曝露条件で、測定したＳＡＲの値が人体のＳＡＲと比較して控え目な見積もり（より高い値）になることを確保するよう設計されてきた。例えば米国ＣＴＩＡのＴｅｓｔ Ｐｌａｎ ｆｏｒ Ｍｏｂｉｌｅ Ｓｔａｔｉｏｎ Ｏｖｅｒ ｔｈｅ Ａｉｒ Ｐｅｒｆｏｒｍａｎｃｅ又は欧州規格３ＧＰＰに定義されているように、ＴＲＰ及び／又はＴＲＳの測定にもファントム又はマネキンが必要であり得る。
【０００６】
図１は、０．０３〜６ＧＨｚでの組織等価物質の比誘電率及び導電率のための規格要件ＩＥＣ ６２２０９−１／６２２０９−２を示す。これらの誘電特性は、人体組織の誘電特性の研究に基づいて定義されている。生体内及び生体外での測定は、Ｓ. Ｇａｂｒｉｅｌの研究で報告されている（Ｇａｂｒｉｅｌ Ｓ. ら、 Ｐｈｙｓ. Ｍｅｄ. Ｂｉｏｌ., １９９６, ４１, ２２５１−２２６９）。均一の組織等価液のための組織誘電パラメータの選択次第によって、実生活における曝露条件で得られるＳＡＲと比較したときの過大評価又は過小評価の程度が決定される。アプローチの保守性を変えるために多くの研究が行われてきた（例えば、Ｄｒｏｓｓｏｓ，Ａ．，Ｓａｎｔｏｍａａ，Ｖ．及びＫｕｓｔｅｒ，Ｎ．，“Ｔｈｅ ｄｅｐｅｎｄｅｎｃｅ ｏｆ ｅｌｅｃｔｒｏｍａｇｎｅｔｉｃ ｅｎｅｒｇｙ ａｂｓｏｒｐｔｉｏｎ ｕｐｏｎ  ｈｕｍａｎ  ｈｅａｄ  ｔｉｓｓｕｅ  ｃｏｍｐｏｓｉｔｉｏｎ  ｉｎ  ｔｈｅ  ｆｒｅｑｕｅｎｃｙ  ｒａｎｇｅ  ｏｆ  ３００−３０００  ＭＨｚ，”ＩＥＥＥ  Ｔｒａｎｓａｃｔｉｏｎｓ  ｏｎ  Ｍｉｃｒｏｗａｖｅ  Ｔｈｅｏｒｙ  ａｎｄ  Ｔｅｃｈｎｉｑｕｅｓ，Ｖｏｌ．４８，Ｎｏ．１１，ｐｐ．１９８８−１９９５，Ｎｏｖ．２０００）。
【０００７】
目標とする誘電特性を達成するため、均一の液体の様々な製法が提案されてきた。例えば、水、塩及びグリコールを主成分とする溶液がよく知られている（Ｆｕｋｕｎａｇａら、ＩＥＥＥ  Ｔｒａｎｓ．Ｅｌｅｃｔｒｏｍａｇｎ．Ｃｏｍｐａｔ．，２００４，４６（１），１２６−１２９）。
【発明の概要】
【発明が解決しようとする課題】
【０００８】
このような混合物は、極めて単純であり、容易に得られる。しかしながら、これらは周波数帯域がかなり狭い（中心周波数に対して１０％〜２０％）という欠点がある。その結果として、デバイスを様々な周波数帯域で試験する際に流体を数回取り替えなければならず、操作が手間と時間のかかるものとなる。更に、組織模倣物質が組み込まれ、変更不可能な気密性のファントムでは、このファントム組織配置物の広帯域な操作が望ましい場合、含まれる溶液が、より広い帯域幅にわたって適切な誘電特性を備えている必要がある。
【０００９】
上述の問題を解決するため、いくつかの研究グループが、より広い範囲の周波数にわたって使用可能な組織模倣液剤の開発を試みてきた。
【００１０】
今日まで、広帯域な溶液は当技術分野でほとんど提案されていない。本出願人の知るところでは、これらの溶液は経時的に安定的ではない、すなわち、誘電特性が数か月後或いはそれ以前に規格要件を逸脱し得るか、或いは誘電特性が規格要件を満たさない。
【００１１】
この結果、典型的には０．０３〜６ＧＨｚの広範な周波数レンジにわたってＳＡＲ測定を可能にする人体の誘電特性を模倣し、時間が経っても物理的に安定した状態を保ち、その誘電特性は経時的に極めて緩徐なドリフトを示す組成物が必要である。このような組成物は、ＴＲＰ及び／又はＴＲＳ測定にも用いることができる。
【課題を解決するための手段】
【００１２】
本発明は、少なくとも１０倍の幅の周波数（０．６〜６ＧＨｚ）にわたって誘電特性を模倣する広帯域組成物を提供することによってこれらの問題を解決する。本発明の組成物は無毒性の化合物を含み、時間経過や温度変化に対する物理的安定性が良好である。誘電特性も、より長い期間維持される。
【００１３】
本発明は、ＳＡＲ、ＴＲＰ及び／又はＴＲＳ測定のためのデバイス、すなわち、少なくとも１０倍の幅の周波数（０．６〜６ＧＨｚ）にわたって誘電特性を模倣する組成物が充填された人体部分ファントムに関する。
【００１４】
本発明は、本発明によるＳＡＲ測定のためのデバイスの使用を含むＳＡＲ測定のための方法にも関する。本発明は、本発明によるデバイスの使用を含むＴＲＰ及び／ＴＲＳ測定のための方法にも関する。
【００１５】
ＳＡＲ、ＴＲＰ及び／又はＴＲＳ測定に用いられるファントムを充填するための本発明の広帯域組成物を使用することには、測定時間を短くするという利点があるが、これは、周波数レンジを変更するときに組成物の交換が不要なためである。また、この溶液は、密閉されたファントムに封入するのに好適であり、このファントムには例えば、少なくとも１０倍の幅の周波数にわたるＳＡＲ測定用に設計されたプローブの配列が取り付けられているであろう。
【００１６】
本発明は、水相と油相とを含む水中油型エマルションに関し、
−水相は水と緩和剤とを含有し、
−油相は油と少なくとも１種の界面活性剤とを含有する。
【００１７】
一実施形態において、本発明の水中油型エマルションは、２５℃で０．００５Ｐａ．ｓ〜５０Ｐａ．ｓ、好ましくは、２５℃で０．０１Ｐａ．ｓ〜３０Ｐａ．ｓの範囲の粘度を有する。
【００１８】
一実施形態において、本発明の水中油型エマルションは、３０ＭＨｚ〜６ＧＨｚの範囲の周波数に対して、６８．０９〜３１．２の範囲の比誘電率と、０．６８Ｓ／ｍ〜６．６０Ｓ／ｍの範囲の導電率とを有する。
【００１９】
一実施形態において、緩和剤はポリオール、好ましくはグリセリンである。
【００２０】
一実施形態において、緩和剤の量は、水相の総重量に対する重量が１〜５０％の範囲、好ましくは１％〜４０％の範囲である。
【００２１】
一実施形態において、水相は、無水又は非無水の塩、好ましくは、ＮａＣｌ、ＣａＣｌ２又は安息香酸ナトリウムから選択された塩を更に含む。
【００２２】
一実施形態において、油は、鉱油、パラフィン油、石油などの合成油、親油性エステル、トリグリセリド、ヒマシ油、コーン油、オリーブ油、ダイズ油、パルミチン酸イソプロピルなどのパーム油などの天然油又はそれらの混合物、好ましくはパルミチン酸イソプロピルを含む群から選択される。
【００２３】
一実施形態において、界面活性剤は、エチレンオキシド及びプロピレンオキシドのトリブロック共重合体などのポロキサマー、ポリエチレンオキシドとポリエチレンオキシド鎖及び少なくとも１種の芳香族基を有する、例えばＴｒｉｔｏｎ（商標）−Ｘ１００などの界面活性剤、例えばＳｐａｎ（商標）８０などのソルビタンエステル及びエトキシル化したソルビタンエステル、Ｔｗｅｅｎ（登録商標）８０などのポリソルベート、Ｂｒｉｊ（登録商標）５８などのポリオキシエチレンアルキルエーテル或いはこれらの界面活性剤の混合物を含む群から選択された非イオン性界面活性剤である。
【００２４】
一実施形態において、本発明の水中油型エマルションは、アルギン酸、キサンタン、アガロース、グアーガム、寒天、ゼラチン、ヒドロキシエチルセルロース、シクロデキストリン又はそれらの混合物を含む群から選択された増粘剤を更に含む。
【００２５】
一実施形態において、本発明の水中油型エマルションは、
−水と、
−水相の総重量に対する重量が１％〜５０％の少なくとも１種の緩和剤と、
−エマルションの総重量に対する重量が０．０５％〜５％の少なくとも１種の塩と、
−必要に応じて増粘剤と、
−エマルションの総重量に対する重量が１０％〜３０％の少なくとも１種の油と、
−エマルションの総重量に対する重量が５〜１０％の少なくとも１種の界面活性剤、好ましくは 少なくとも２種の界面活性剤と、
を含む。
【００２６】
一実施形態において、本発明の水中油型エマルションは、
−水と、
−水相の総重量に対する重量が１％〜５０％のグリセリンと、
−エマルションの総重量に対する重量が０．０５％〜５％のＣａＣｌ２と、
−必要に応じてエマルションの総重量のうちの重量が０．２％〜３％のキサンタンと、
−エマルションの総重量に対する重量が１０％〜３０％のパルミチン酸イソプロピルと、
−エマルションの総重量に対する重量が５〜１０％であるＴｒｉｔｏｎ Ｘ−１００とＳｐａｎ８０との混合物と、
を含む。
【００２７】
一実施形態において、本発明の水中油型エマルションは、
−水と、
−水相の総重量に対する重量が１５％〜３５％のグリセリンと、
−エマルションの総重量に対する重量が０．６％〜１．２％のＣａＣｌ２と、
−必要に応じてエマルションの総重量のうちの重量が０．３％〜２％のキサンタンと、
−エマルションの総重量に対する重量が１５％〜２５％のパルミチン酸イソプロピルと、
−エマルションの総重量に対する重量が６〜８％である、好ましくはＴｒｉｔｏｎ Ｘ−１００／Ｓｐａｎ８０の割合が７９／２１である、Ｔｒｉｔｏｎ Ｘ−１００とＳｐａｎ８０との混合物と、
を含む。
【００２８】
一実施形態において、本発明の水中油型エマルションは、
−水と、
−水相の総重量に対する重量が２％〜７％のグリセリンと、
−エマルションの総重量に対する重量が０．１％〜１％のＣａＣｌ２と、
−必要に応じてエマルションの総重量のうちの重量が０．３％〜２％のキサンタンと、
−エマルションの総重量に対する重量が１０％〜１５％のパルミチン酸イソプロピルと、
−エマルションの総重量に対する重量が６〜８％である、好ましくはＴｒｉｔｏｎ Ｘ−１００／Ｓｐａｎ８０の割合が７９／２１である、Ｔｒｉｔｏｎ Ｘ−１００とＳｐａｎ８０との混合物と、
を含む。
【００２９】
本発明は更に、
−本発明によるエマルションと、
−上記のエマルションが充填された模倣人体部分と、
−模倣人体部分が電磁界に曝露されているときに局所比吸収率を測定可能な少なくとも１つのシステムと、
を含むデバイスに関する。
【００３０】
ある実施形態において、模倣人体部分は、人間の頭部の一部又は全部の形状をした、或いは人間の胴体の一部又は全部の形状をした容器である。
【００３１】
本発明は更に、電磁界を放射する装置の比吸収率試験を行うための方法に関し、この方法は、
−装置を本発明によるデバイスに接して又はその近くに、好ましくはごく近傍に配置することと、
−試験対象の装置による伝送中に、デバイス内部の電界強度を測定することと、
を含む。
【００３２】
本発明は、本発明によるエマルションの製造プロセスにも関し、この方法は、
−適用可能な場合、増粘剤を水中で撹拌しながら溶解し、組成物（Ｉ）を生成することと、
−適用可能な場合、塩を水中で撹拌しながら溶解し、撹拌しながら緩和剤を添加し、組成物（ＩＩ）を生成することと、
−組成物（Ｉ）と組成物（ＩＩ）とを混合して水相を形成することと、
−油中で撹拌しながら界面活性剤を溶解し、油相を形成することと、
−撹拌しながら油相を水相に分散させることと、
を含み、このプロセスは２０℃〜２５℃の範囲の温度で行われる。
【図面の簡単な説明】
【００３３】
【図１】０．０３−６ＧＨｚの範囲で、±１０％の許容誤差で、組織模倣誘電特性材料のためのＩＥＣ６２２０９−２規格要件を表す。（１Ａ）は、周波数に応じた材料の比誘電率を表す。（１Ｂ）は、周波数に応じた材料の導電率を表す。
【図２】０．６ＧＨｚ〜６ＧＨｚにおいて、±１０％の許容誤差で、ＩＥＣ規格要件と比較した実施例１のエマルション２の誘電特性を示す。
【図３】０．６ＧＨｚ〜６ＧＨｚにおいて、±１０％の許容誤差で、ＩＥＣ規格要件と比較した実施例２のエマルション３の誘電特性を示す。
【図４】０．６ＧＨｚ〜６ＧＨｚにおいて、±１０％の許容誤差で、ＩＥＣ規格要件と比較した実施例２のエマルション５の誘電特性を示す。
【図５】０．０３ＧＨｚ〜６ＧＨｚにおいて、±１０％の許容誤差で、ＩＥＣ規格要件と比較した実施例２のエマルション５の誘電特性を示す。
【図６】０．６ＧＨｚ〜６ＧＨｚにおいて、±１０％の許容誤差で、ＩＥＣ規格要件と比較した２０℃及び４２℃での実施例２のエマルション５の誘電特性を示す。
【図７】０．１５ＧＨｚ〜６ＧＨｚにおいて、±１０％の誤差で、ＦＣＣ規制要件と比較した実施例６のエマルション７の誘電特性を示す。
【発明を実施するための形態】
【００３４】
定義
本発明において、以下の用語は以下の意味を有する。
−数字の前の「約」は、その数字のプラス又はマイナス１０％の値を意味する。
−「緩和剤」は、緩和剤を含むシステムに追加的な緩和プロセスを施すことが可能な化合物を指す。本発明においては、緩和剤は、好ましくは例えばグリセリンなどのポリオールである。
−「比誘電率」は、規格ＩＥＥＥ１５２８（２００３）において定義されるものである。
−「導電率」は、規格ＩＥＥＥ１５２８（２００３）において定義されるものである。
−「低周波数」は、本発明の意味において、約３０ＭＨｚ〜約２ＧＨｚの範囲の周波数を指す。
−「粘度」は、動粘度を指す。
−「ポリオール」は、少なくとも２つのＯＨ官能基を含む化合物を指す。
−「増粘剤」は、組成物の粘度を増すことが可能な化合物に関する。
−「模倣人体部分」は、人体の一部又は全部の形状をした容器、例えばマネキン又はファントムなどを指す。このようなマネキン又はファントムは、ＳＡＲ測定に一般的に用いられる。
−「曇点」は、それを超えると界面活性剤の水中での溶解度に影響を与え、混合物が分離し始める温度を指す。
組成物
【００３５】
本発明は、人体の少なくとも一部分、好ましくは頭部又は胴体の誘電特性を模倣する組成物に関する。本発明の組成物は、広帯域な生成物である。本発明の意味において、広域帯とは、少なくとも１０倍の幅の周波数を、好ましくは１０ＭＨｚ〜１０ＧＨｚ、より好ましくは３０ＭＨｚ〜６ＧＨｚ又は６００ＭＨｚ〜６ＧＨｚの周波数を指す。
【００３６】
本発明の組成物は、水中油型直接エマルションを含み、その中では、
水相は水と緩和剤とを含有し、
油相は油と少なくとも１種の界面活性剤とを含有する。
【００３７】
ある実施形態において、本発明の組成物は、水中油型直接エマルションを含み、その中では、
水相は水及びグリセリンを含み、
油相は油と少なくとも１種の界面活性剤とを、好ましくは少なくとも２種の界面活性剤を含む。
【００３８】
ある実施形態において、本発明の組成物は、水中油型直接エマルションを含み、その中では、
水相は水と緩和剤とを含有し、
油相は油と少なくとも１種の界面活性剤とを、好ましくは少なくとも２種の界面活性剤を含み、
上記のエマルションは、２５℃で０．００５Ｐａ．ｓ〜５０Ｐａ．ｓ、好ましくは、２５℃で０．０１Ｐａ．ｓ〜３０Ｐａ．ｓの範囲の粘度を有する。
水相
【００３９】
ある実施形態によれば、エマルションの水相は、水、脱イオン水、脱塩水、例えば塩水などの水溶液又はそれらの混合物を含む。
【００４０】
ある実施形態において、緩和剤は、例えばグリセリンなどのポリオール又は糖、好ましくはグリセリンである。
【００４１】
第１の実施形態によれば、緩和剤はグリセリンである。
【００４２】
第２の実施形態によれば、緩和剤は、例えば果糖などの単糖、ショ糖などの二糖又はそれらの混合物などの糖である。
【００４３】
特別な実施形態によれば、緩和剤は糖ではなく、特に単糖又は二糖ではない。特定の実施形態では、本発明のエマルションは単糖又は二糖を含まない。
【００４４】
ある実施形態において、水相は、水相の総重量に対する重量（ｗ／ｗ水相）が１％〜５０％、好ましくは１％〜４０％ｗ／ｗ水相の範囲の量の緩和剤を含む。
【００４５】
第１の実施形態では、水相は、１０％〜４０％、好ましくは１５％〜３５％ｗ／ｗ水相、より好ましくは１７％〜２５％ｗ／ｗ水相、より好ましくは１９％〜２１％ｗ／ｗ水相の範囲、更に好ましくは約２０％ｗ／ｗ水相の量の緩和剤、好ましくはグリセリンを含む。緩和剤の量は、エマルションの比誘電率が、３０ＭＨｚ〜６ＧＨｚの範囲の周波数に対して、６０．５〜３１．２の範囲であるような量が好ましい。
【００４６】
第２の実施形態では、水相は、１％〜１０％ｗ／ｗ水相、好ましくは２％〜７％ｗ／ｗ水相、より好ましくは２％〜５％ｗ／ｗ水相の範囲、更に好ましくは約３％ｗ／ｗ水相の量の緩和剤、好ましくはグリセリンを含む。緩和剤の量は、エマルションの比誘電率が、０．１５ＧＨｚ〜６ＧＨｚの範囲の周波数に対して、６８．０９〜４３．３８の範囲であるような量が好ましい。
【００４７】
緩和剤の量は、組織模倣物質のための規格に必要な誘電特性を得るよう適合されてもよい。
【００４８】
一実施形態において、水相は、基本的に脱イオン水及び２０％のポリオール、好ましくは グリセリンから成る。
【００４９】
本発明において、緩和剤を用いることによって、組成物の複雑な誘電率を周波数の所定の範囲に変えることが可能となる。ポリオール、中でもグリセリンは、緩和剤として、組成物の比誘電率にさほど影響しないという利点がある。更に、理論に束縛される意図はないが、出願人の理解では、ポリオールは、約２０〜約４０℃の範囲の加工温度を得るために用いられ、この加工温度は周囲温度であることが好ましい。
【００５０】
本発明の一態様において、水相は、塩を更に含む。様々な塩がその組成に応じて、様々な量で用いられてもよい。塩の量は、経験及び計算によって決定されてもよい。ある実施形態において、塩は、ＮａＣｌ、ＣａＣｌ２、安息香酸ナトリウム又はそれらの混合物の群の中で選択される。塩は、無水であってもよく、また無水でなくてもよい。ある実施形態において、塩の量は、エマルションの総重量に対する重量（ｗ／ｗ）が０．０５％〜５％、好ましくは０．１％〜２．５％ｗ／ｗの範囲である。ある実施形態において、塩は、ＣａＣｌ２、好ましくは無水ＣａＣｌ２であり、エマルションの総重量に対する重量（ｗ／ｗ）が０．１％〜５％、好ましくは０．４％〜２．５％ｗ／ｗ、より好ましくは０．６％〜１．２％ｗ／ｗの範囲の量で用いられる。ある好ましい実施形態では、塩はＣａＣｌ２、好ましくは無水ＣａＣｌ２であり、０．６％〜１．２ｗ／ｗ、好ましくは０．９％〜１.１％ｗ／ｗの範囲の量で用いられる。他の好ましい実施形態では、塩は、ＣａＣｌ２、好ましくは無水ＣａＣｌ２であり、０．１％〜１．０ｗ／ｗ、好ましくは０．５％〜０．８％ｗ／ｗの範囲の量で用いられる。塩の量は、エマルションの導電率が、低周波の時に０．６８Ｓ／ｍより高い、好ましくは０．０３ＧＨｚ〜６ＧＨｚの範囲の周波数に対して０．６８Ｓ／ｍ〜６．６０Ｓ／ｍの範囲であるような量が好ましい。
【００５１】
塩の存在が有利に作用し、規格により定められた導電値に到達することが可能となる。出願人の理解では、水相に塩が存在することは、本発明の範囲において、エマルションの比誘電率に大幅に影響するものではない。
油相
【００５２】
一実施形態によれば、油は、例えば、鉱油、パラフィン油又は石油などの合成油、例えば親油性エステル、トリグリセリド、ヒマシ油、コーン油、オリーブ油、ダイズ油、パーム油などの天然油、又はそれらの混合物であってもよい。好ましい実施形態では、油はパーム油、好ましくはパルミチン酸イソプロピルである。他の実施形態では、油は非植物油である。
【００５３】
一実施形態によれば、本発明のエマルションにおける油量は、エマルションの総重量に対する重量（ｗ／ｗ）が１０％〜３０％の範囲である。好ましい実施形態では、本発明のエマルションにおける油量は、１５〜２５％ｗ／ｗ、好ましくは１７％〜１９％ｗ／ｗの範囲である。 他の好ましい実施形態では、本発明のエマルションにおける油量は、１０〜１５％ｗ／ｗ、好ましくは１２．５％〜１４％ｗ／ｗの範囲である。
【００５４】
一実施形態において、油相は少なくとも１種の非イオン性界面活性剤、陰イオン性界面活性剤、陽イオン性界面活性剤、又は双性イオン性界面活性剤を含む。非イオン性界面活性剤は、例えば、例えばＢＡＳＦ社によって市販されているＰｌｕｒｏｎｉｃ（登録商標）製品などのエチレンオキシド及びプロピレンオキシドのトリブロック共重合体などのポロキサマー、例えばＵｎｉｏｎ Ｃａｒｂｉｄｅ社によって市販されているａＴｒｉｔｏｎ−Ｘ１００などのポリエチレンオキシドとポリエチレンオキシド鎖及び少なくとも１種の芳香族基を有する界面活性剤、例えばＣｒｏｄａ社によって市販されているＳｐａｎ８０などのソルビタンエステル及びエトキシル化したソルビタンエステル、又はＳｉｇｍａ−Ａｌｄｒｉｃｈ社によって市販されているＴｗｅｅｎ８０などのポリソルベート、Ｓｉｇｍａ−Ａｌｄｒｉｃｈ社によって市販されているＢｒｉｊ５８などのポリオキシエチレンアルキルエーテル、或いはこれらの界面活性剤の混合物であってもよい。陰イオン性界面活性剤は、例えば、リン脂質などの陰イオン性脂質、又はドデシル硫酸ナトリウムＳＤＳなどであってもよい。陽イオン性界面活性剤は、例えば、ヘキサデシルトリメチルアンモニウムブロミドＣＴＡＢのような四級アンモニウム化合物、オレイルアミン（ｏｌｅｙａｍｉｎｅ）又はステアリルアミンなどの一級アミン、陽イオン性脂質、クロルヘキシジン塩（ｃｈｌｏｒｈｅｘｉｄｉｎ  ｓａｌｔ）、或いはキトサンなどの陽イオン性ポリマーであってもよい。双性イオン性界面活性剤は、例えばレシチンであってもよい。
【００５５】
好ましい実施形態によれば、油相は、少なくとも１種の非イオン性界面活性剤を含む。
【００５６】
ある好ましい実施形態によれば、油相は、少なくとも２種の界面活性剤、好ましくは少なくとも２種の非イオン性界面活性剤の混合物を含む。油相が、異なる親水性を有する２種の界面活性剤の混合物を含むことが、特に好ましい。
【００５７】
２種の非イオン性界面活性剤の混合物を使用することには、エマルションの安定性を高めるという利点がある。
【００５８】
非イオン性界面活性剤の好ましい組み合わせは、Ｔｒｉｔｏｎ−Ｘ１００／Ｓｐａｎ８０又はＴｗｅｅｎ８０／Ｓｐａｎ８０であるが、他の混合物を検討してもよい。
【００５９】
一実施形態において、エマルションにおける界面活性剤の全体量は、エマルションの総重量に対する重量（ｗ／ｗ）が５〜１０％の範囲、好ましくは６％〜８％ｗ／ｗの範囲である。
粘性組成物
【００６０】
有利には、本発明のエマルションは、粘性の組成物である。このことは、ファントムに充填する関係で特に興味深く、また漏れの危険性を限定する。更に、組成物の粘度は、エマルションの物理的安定性に関わる。
【００６１】
一実施形態によれば、本発明のエマルションの粘度の範囲は、２５℃で０．００５Ｐａ．ｓ〜５０ Ｐａ．ｓ、好ましくは２５℃で０．０１Ｐａ．ｓ〜３０Ｐａ．ｓである。
【００６２】
本発明のエマルションの粘度は、ニュートン流体の場合、クエット型のＬｏｗ  Ｓｈｅａｒ  ＬＳ４００（Ｌａｍｙ Ｒｈｅｏｌｏｇｙ社）を用いて測定されてもよい。また、粘度は、非ニュートン流体の場合、コーンプレート形状のＨＡＡＫＥ粘度計ＲｈｅｏＳｔｒｅｓｓ６００を用いて測定されてもよい。
【００６３】
このような粘度を有する組成物は、模倣人体部分、特に複雑な形の模倣人体部分を、空洞部分や気泡をその中に作り出すことなく充填するよう十分に適合されていることが、出願人によって発見された。
【００６４】
ある実施形態によれば、エマルションの緩和剤は、更に粘性化剤（ｖｉｓｃｏｓｉｆｙｉｎｇ  ａｇｅｎｔ）として作用する。これは、緩和剤がグリセリンであるときに特に当てはまる。
【００６５】
他の実施形態によれば、本発明のエマルションは、所期の粘度に到達するための増粘剤を更に備えうる。
【００６６】
一実施形態において、増粘剤は、例えば親水コロイドであり、中でもアルギン酸、キサンタン、アガロース、グアー、寒天、ゼラチン、ヒドロキシセルロース、シクロデキストリン又はそれらの混合物などの様々な多糖類である。好ましい実施形態では、増粘剤はキサンタン又はアガロースである。増粘剤は、周囲温度で本発明のエマルションに組み入れられ得ることが好ましい。
【００６７】
ある実施形態において、増粘剤は、エマルションの総重量のうちの重量（ｗ／ｗ）が０．２％〜３％の範囲、好ましくは０．３％〜２％ｗ／ｗ、より好ましくは０．４％〜０．６％ｗ／ｗの範囲の標準的な量で用いられる。
更なる成分
【００６８】
一実施形態によれば、本発明のエマルションは、抗酸化剤としてビタミンＥのような添加剤を更に含みうる。
【００６９】
ある実施形態によれば、本発明のエマルションは、例えばアジ化ナトリウム又はＧｅｒｍａｂｅｎＩＩ（Ｌｏｔｉｏｎ  Ｃｒａｆｔｅｒ社）などの、防腐剤及び／又は殺菌剤を更に含む。
誘電特性
【００７０】
本発明のエマルションは、広帯域な組織模倣組成物である。
【００７１】
本発明の一態様において、エマルションは、３０ＭＨｚ〜６ＧＨｚの範囲の周波数に対して６０．５〜３１．２の範囲の比誘電率を有する。本発明の他の態様において、エマルションは、０．１５ＧＨｚ〜６ＧＨｚの範囲の周波数に対して６８．０９〜４３．３８の範囲の比誘電率を有する。本発明の他の態様において、エマルションは、０．０３ＧＨｚ〜６ＧＨｚの範囲の周波数に対して６８．０９〜３１．２の範囲の比誘電率を有する。好ましい実施形態では、エマルションは、ＩＥＣ６２２０９−１／２で言及される、国際電気標準会議（ＩＥＣ）によって定められた範囲内での比誘電率を有しており、その許容誤差は±１０％である。他の好ましい実施形態では、エマルションは、ＯＥＴ  Ｂｕｌｌｅｔｉｎ  ６５  Ｓｕｐｐｌｅｍｅｎｔ  Ｃで言及される、米国連邦通信委員会（ＦＣＣ）によって定められた範囲内での比誘電率を有しており、その誤差は±１０％、好ましくは±５％である。
【００７２】
本発明の一態様において、エマルションは、３０ＭＨｚ〜６ＧＨｚの範囲の周波数に対して０．６８Ｓ／ｍ〜６．０３Ｓ／ｍの範囲の導電率を有している。本発明の他の態様において、エマルションは、１５０ＭＨｚ〜６ＧＨｚの範囲の周波数に対して０．７２Ｓ／ｍ以上の導電率、好ましくは０．７２Ｓ／ｍ〜６．６０Ｓ／ｍの範囲の導電率を有している。本発明の他の態様において、エマルションは、３０ＭＨｚ〜６ＧＨｚの範囲の周波数に対して０．６８Ｓ／ｍ〜６．６０Ｓ／ｍの範囲の導電率を有している。好ましい実施形態では、エマルションは、ＩＥＣ６２２０９−１／２で言及される、国際電気標準会議（ＩＥＣ）によって定められた範囲内での導電率を有しており、その許容誤差は±１０％である。他の好ましい実施形態では、エマルションは、ＯＥＴ  Ｂｕｌｌｅｔｉｎ  ６５  Ｓｕｐｐｌｅｍｅｎｔ  Ｃで言及される、米国連邦通信委員会（ＦＣＣ）によって定められた範囲内での導電率を有しており、その誤差は±１０％、好ましくは±５％である。
【００７３】
比誘電率及び導電率は、Ａｇｉｌｅｎｔ  Ｔｅｃｈｎｏｌｏｇｉｅｓ社製の８５０７０Ｅ誘電体プローブキットをベクトルネットワークアナライザと共に用いて測定されうる。
【００７４】
ある実施形態によれば、本発明のエマルションは、ＩＥＣ６２２０９−１／２で言及される、国際電気標準会議（ＩＥＣ）によって定められた規格要件を±１０％の許容誤差で満たす。
【００７５】
ある実施形態によれば、本発明のエマルションは、ＯＥＴ  Ｂｕｌｌｅｔｉｎ  ６５  Ｓｕｐｐｌｅｍｅｎｔ  Ｃで言及される、米国連邦通信委員会（ＦＣＣ）によって定められた誘電パラメータの目標値に±１０％の誤差、好ましくは±５％の誤差で近づく。
液滴サイズ
【００７６】
一実施形態によれば、本発明の水中油型エマルションの油滴は、８０ｎｍ〜５０μｍ、好ましくは２００ｎｍ〜３０μｍの範囲の平均サイズを有する。
組成物の安定性
【００７７】
エマルションの安定性評価は、エマルションの物理的安定性を経時的に評価することを含み得る。特定の実施形態では、エマルションの物理的安定性は、相分離を経時的に視覚的に判断することによって、及び／又は液滴サイズを経時的に測定することによって評価され得る。液滴サイズの測定は、ＤＬＳ（動的光散乱法）又は光学顕微鏡検査法及び電子顕微鏡検査法によって達成され得る。
【００７８】
ある実施形態において、本発明のエマルションは、６か月以上の期間、好ましくは９か月以上、より好ましくは１年以上、更に好ましくは３年以上の期間、物理的に安定した状態を保つ。
【００７９】
エマルションの安定性評価は、エマルションの誘電特性の安定性を経時的に評価することも含み得る。特定の実施形態では、エマルションは、ＩＥＣ６２２０９−１／ＩＥＣ６２２０９−２で言及される、国際電気標準会議（ＩＥＣ）によって定められた規格要件を、少なくとも６か月間、好ましくは少なくとも９か月間、より好ましくは少なくとも１年間、更に好ましくは３年以上、±１０％の許容誤差で満たす。他の特定の実施形態では、エマルションは、ＯＥＴ  Ｂｕｌｌｅｔｉｎ  ６５  Ｓｕｐｐｌｅｍｅｎｔ  Ｃで言及される、米国連邦通信委員会（ＦＣＣ）によって定められた規制要件を、少なくとも６か月間、好ましくは少なくとも９か月間、より好ましくは少なくとも１年間、更に好ましくは３年以上、±１０％の誤差で満たす。
【００８０】
エマルションの安定性評価は、エマルションの細菌及び微生物安定性を経時的に評価することも含み得る。特定の実施形態では、エマルションの細菌及び微生物安定性は、カビの発生を目視判定することによって評価され得る。
本発明の組成物の製造プロセス
【００８１】
本発明のエマルションの製造中、混合物の撹拌速度と温度を管理することは、その結果生じるエマルションの安定性にとって重要でありうる。
【００８２】
本発明の一実施形態において、本発明のエマルションを製造するための方法は、
−適用可能な場合、増粘剤を水中で撹拌しながら溶解して組成物（Ｉ）を生成することと、
−適用可能な場合、塩を水中で撹拌しながら溶解し、撹拌しながら緩和剤を添加し、必要に応じて保存剤を添加して組成物（ＩＩ）を生成することと、
−組成物（Ｉ）及び（ＩＩ）を混合することと、
−界面活性剤を油中で撹拌しながら溶解することと、
−油相を水相に撹拌しながら分散させることと、
を含む。
【００８３】
ある実施形態において、撹拌は、プロペラ撹拌機、パドル撹拌機、タービン、コロイドミル（ｃｏｌｌｏｉｄａｌ ｍｉｌｌ）、ｕｌｔｒａ  ｔｕｒｒａｘ、例えば超音波棒を用いた超音波、好ましくはプロペラ撹拌機又はパドル撹拌機を用いて行われ、パドル撹拌機は、必要に応じてタービンに連動する。
【００８４】
有利には、このプロセスの間、温度は２０℃〜２５℃の間、好ましくは室温に保たれる。周囲温度での加工は、製造コストを抑えるための工業的観点からだけでなく、エマルションは高温では安定的でないことがあるため、安定性の観点からも極めて望ましい。更に、誘電特性は高温により影響を受けることがあり得る。
【００８５】
他の実施形態では、プロセスの幾つかの工程、特に増粘剤の溶解工程は、２０℃〜７０℃の範囲の温度で、好ましくは約３５℃で行われてもよい。
【００８６】
使用する界面活性剤、特に非イオン性界面活性剤の曇点を超過しないように、撹拌の型、速度、温度及び継続時間を選択することが重要である。超音波棒を使用するときには、超音波によって試料が加熱することになるため、氷浴を用いることは重要であろう。
ＳＡＲ、ＴＲＰ及び／又はＴＲＳ測定のためのデバイス
【００８７】
本発明は更に、本発明のエマルションを含むＳＡＲ測定のためのデバイスに関する。本発明は更に、本発明のエマルションを含むＴＲＰ及び／又はＴＲＳ測定のためのデバイスに関する。
【００８８】
本発明は、上述の本発明のエマルションが充填された模倣人体部分に関する。「充填された」とは、完全に満たされた状態であること、すなわち、空洞部分又は気泡が残っていない状態を意味する。
【００８９】
本発明は、
−本発明によるエマルションと、
−上記のエマルションが充填された模倣人体部分と、
−模倣人体部分が電磁界に曝露されているときに局所比吸収率を測定可能な少なくとも１つのシステムと、
を含むデバイスにも関する。
【００９０】
好ましい実施形態では、模倣人体部分は密閉されている。
【００９１】
本発明の一態様では、模倣人体部分の外殻はプラスチック製、好ましくは硬質プラスチック製である。
【００９２】
ある実施形態によれば、模倣人体部分の形状は、頭部、手、胴体又はこれらの一部及び／又はこれらを組み合わせたものであってもよい。模倣人体部分の形状は、ＩＥＣ及びＩＥＥＥの規格によって定められた要件を満たしていることが好ましい。
【００９３】
ある実施形態において、本発明のエマルションは、模倣人体部分内において、完全には避けられないにしても、気泡又は空洞部分の導入を制限するなどの方法で充填されている。実際、組成物をファントムに充填するときには気泡は避けるべきであり、さもなければ、ファントムの誘電特性に悪影響を与えてしまうだろう。特に、ＳＡＲ、ＴＲＰ及び／又はＴＲＳ測定中、ファントムに空洞部分があってはならず、さもなければ、誤った値を得る可能性がある。このことが特に懸念されるのは、試験する装置が配置されるべき場所に近接した位置に空洞部分がある場合である。
【００９４】
好ましい実施形態では、模倣人体部分には、真空下でエマルションが充填される。
【００９５】
ある実施形態によれば、ＳＡＲを測定するためのシステムはプローブを含み、このプローブは、例えば、電界振幅の二乗を評価可能な単一のダイオード検波器であってもよい。ある実施形態において、プローブは、単一のダイオード検波器を配列したものであってもよい。好ましい実施形態では、プローブは、電場ベクトルを評価可能な単一のプローブ又はプローブを配列させたものであってもよい。ベクトルプローブの配列は、特許出願国際公開第２０１１／０８０３３２号に記載のものと同様であってもよい。
【００９６】
有利には、プローブは、測定部と接続部とを備え、測定部は模倣人体部分内に位置し、接続部は模倣人体部分の外部に位置する。プローブは、その接続部を介してマルチプレキシングステージに接続され、その後にダウンコンバーティングステージ、アナログデジタル変換器、処理デバイスの順に接続されてもよい。それは一般的に、読出し式電子部品（ｒｅａｄｏｕｔ  ｅｌｅｃｔｒｏｎｉｃ  ｐａｒｔ）に接続されてもよい。有利には、プローブは、絶縁保護コーティング又は他の好適なワニスで被覆されている。
測定方法
【００９７】
本発明は更に、本発明のエマルションの使用を含むＳＡＲ測定の方法に関する。ある実施形態において、ＳＡＲ測定の方法は、本発明のエマルションを含む模倣人体部分、好ましくは本発明のデバイスの使用を含む。
【００９８】
ある実施形態によれば、通信デバイスなど、電磁界を放射する装置の比吸収率試験を行うための方法は、
−装置を本発明によるデバイスに接して又は近傍に、好ましくはごく近傍に配置することと、
−試験対象の装置による伝送中に、模倣人体部分内の電界強度を測定することと、
を含む。
【００９９】
ある実施形態において、その方法は、比吸収率の三次元分布を評価し、最終的にピーク空間平均ＳＡＲを得るための信号処理段階を更に含む。
【０１００】
本発明は更に、本発明のエマルションの使用を含むＴＲＰ及び／又はＴＲＳ測定の方法に関する。ある実施形態において、ＴＲＰ及び／又はＴＲＳ測定の方法は、本発明のエマルションを含む模倣人体部分、好ましくは本発明のデバイスの使用を含む。好ましい実施形態では、本発明のＴＲＰ及び／又はＴＲＳ測定の方法は、ＣＴＩＡ及び／又は３ＧＰＰの要件を満たす。
【実施例】
【０１０１】
本発明を、以下の実施例によって更に説明する。
【０１０２】
特に指定がない限り、百分率は、組成物の総重量に対する重量で示される。
誘電特性の一般的な測定の方法
【０１０３】
Ａｇｉｌｅｎｔ  Ｔｅｃｈｎｏｌｏｇｉｅｓ社製の開放同軸型誘電体プローブ（８５０７０Ｅ）を用いた。この広く利用される技術には、使いやすく、誰でも入手可能であり、６ＧＨｚまで適用可能という利点がある。
【０１０４】
測定は、２０℃〜４０℃まで変化する試料温度で、好ましくは２５℃で行われた。
【０１０５】
実施例１．本発明の標準的な組成
【表１】
2015510441.tif 000003
【０１０６】
製造プロセス：
上記で例示したエマルション１及び２を製造するため、以下の工程を実施した。
１）水相：
−水、グリセリン及び無水ＣａＣｌ２を計量する
−プロペラ撹拌機で混合物を撹拌し、３５℃の水浴でＣａＣｌ２を溶解する
２）油相：
−油、ＴｒｉｔｏｎＸ１００又はＴｗｅｅｎ８０及びＳｐａｎ８０を計量する
−プロペラ撹拌機で混合物を撹拌し、３５℃の水浴で油及び界面活性剤を可溶化する
３）乳化
−３５℃の水浴でプロペラ撹拌機で撹拌しながら、水相に油相を添加する
−混合物を、６００ｒ／分で４５分間撹拌する
４）室温で、得られたエマルションを瓶に移して閉じる
５）この後、瓶に挿入した超音波棒を用いて、組成物が加熱されるのを避けるために氷浴で、３０Ｗの電力を放出する超音波に１時間連続してかける。
【０１０７】
エマルション１及び２の粘度は、２５℃で約６ｃＰである。
【０１０８】
誘電特性の測定：
例示したエマルション１及び２の誘電特性は、上述の一般的な方法を用いて測定された。結果は図２に表されており、これはエマルションが±１０％の許容誤差でＩＥＣの規格要件を満たしていることを示している。
【０１０９】
安定性：
誘電特性は、少なくとも１年半の間、安定的である。
【０１１０】
実施例２．増粘された組成物−キサンタン
【表２】
2015510441.tif 000004
【０１１１】
製造プロセス：
上記で例示したエマルション３、４及び５を製造するため、以下の工程を実施した。
１）水相：
−水、グリセリン及び無水ＣａＣｌ２を計量する
−プロペラ撹拌機で混合物を撹拌し、３５℃の水浴でＣａＣｌ２を溶解する
−７０℃で水浴を加熱する
−５分間機械で撹拌（３００ ｒ／分）しながら、キサンタン粉末を振り掛けて（ｉｎ ｒａｉｎ）添加する
−この後、水相は、水浴の温度を下げることによって、３５℃に戻される
２）油相
−油、ＴｒｉｔｏｎＸ１００又はＴｗｅｅｎ８０及びＳｐａｎ８０を計量する
−プロペラ撹拌機で混合物を撹拌し、３５℃の水浴で油及び界面活性剤を十分に可溶化する
３）乳化
−３５℃の水浴でプロペラ撹拌機で撹拌しながら、水相に油相を添加する
−混合物を、６００ｒ／分で４５分間撹拌する
４）室温で、得られたエマルションを瓶に移して閉じる。
【０１１２】
上記プロセスのすべての工程は、２５℃で行われてもよい。
【０１１３】
エマルション３、４及び５の粘度は、２５℃で約３０Ｐａ．ｓである。
【０１１４】
誘電特性の測定：
例示したエマルション３及び５の誘電特性は、上述の一般的な方法を用いて測定された。結果は図３及び図４にそれぞれ表されており（０．６ＧＨｚ〜６ＧＨｚ）、これらは、エマルション３及び５が±１０％の許容誤差でＩＥＣの規格要件を満たしていることを示している。
【０１１５】
また、エマルション５は、０．０３ＧＨｚ〜６ＧＨｚのより大きな周波数帯で興味深い誘電特性を有する（図５参照）。
【０１１６】
安定性：
誘電特性は、少なくとも１年間、安定的である。
【０１１７】
実施例３．増粘された組成物−アガロース
【表３】
2015510441.tif 000005
【０１１８】
製造プロセス：
上記で例示したエマルション６を製造するため、以下の工程を実施した。
１）水相：
−水、グリセリン及び無水ＣａＣｌ２を計量する
−プロペラ撹拌機で混合物を撹拌し、３５℃の水浴でＣａＣｌ２を溶解する
−８０℃で水浴を油浴に変える
−５分間プロペラ撹拌機で撹拌しながら、アガロース粉末を振り掛けて添加する
２）油相：
−油、Ｔｗｅｅｎ８０及びＳｐａｎ８０を計量する
−プロペラ撹拌機で混合物を撹拌し、８０℃の油浴で油及び界面活性剤を十分に可溶化する
３）乳化
−５分間８０℃の油浴でプロペラ撹拌機で撹拌しながら、水相に油相を添加する
−３０分間３５℃で６００ｒ／分で混合物を撹拌する
４）室温で、得られたエマルションを瓶に移して閉じる。
【０１１９】
実施例４．温度に伴う誘電特性の進展
実施例２のエマルション５の誘電特性を、エマルションの温度に応じて調査した。
【０１２０】
２０〜４０℃の間では、ＩＥＣの規格に必要な誘電特性は、図６で証明されるとおり維持されている。
【０１２１】
温度に依存するエマルションの安定性の限界によれば、エマルションは、一定時間の間２０〜４０℃で用いることができる。エマルションは、２５℃と３０℃との間で用いられることが好ましい。
【０１２２】
実施例５．組成物のレオロジー特性の調査
実施例２のエマルション５のレオロジー特性を調査した。エマルションの測定は、２５℃で、コーンプレート形状のＨＡＡＫＥ粘度計ＲＳ６００を用いて行った。
【０１２３】
エマルション５の粘度は、２５℃で約３０Ｐａ．ｓである。
【０１２４】
エマルション５は、流動（ｒｈｅｏｆｌｕｉｄｉｚｉｎｇ）流体、チクソトロピー流体及び塑性流体であることがわかった。このようなレオロジー特性を有する流体は操作が容易であり、模倣人体部分を充填することができ、仮にあれば、流体の漏れを制限する。
【０１２５】
実施例６．米国ＦＣＣの規制目標値に近づきつつある組成物
上記の実施例のエマルションは、ＩＥＣ６２２０９−１／２で言及される、国際電気標準会議によって定められた規格要件を±１０％の許容誤差で満たしている。
【０１２６】
ＦＣＣ（連邦通信委員会）の米国の規制要件に到達しつつある組成物も、ＳＡＲ測定にとって興味深いかもしれない。
【０１２７】
【表４】
2015510441.tif 000006
【０１２８】
エマルション７は、エマルション１及び２と同じプロセスにしたがって製造した。
【０１２９】
誘電特性：
例示したエマルション７の誘電特性は、上述の一般的な方法を用いて測定された。結果は図７に表されており（０．１５ＧＨｚ〜６ＧＨｚ）、これは、エマルションがＦＣＣのＯＥＴ  Ｂｕｌｌｅｔｉｎ  ６５  Ｓｕｐｐｌｅｍｅｎｔ  Ｃの目標値に±１０％の許容誤差内で近づいていることを示している。
【図１】
2015510441.tif 000007
【図２】
2015510441.tif 000008
【図３】
2015510441.tif 000009
【図４】
2015510441.tif 000010
【図５】
2015510441.tif 000011
【図６】
2015510441.tif 000012
【図７】
2015510441.tif 000013
【国際調査報告】
2015510441.tif 000014
2015510441.tif 000015